(57)【特許請求の範囲】
【請求項１】
被取付面から照明器具を吊り下げる吊下装置において、
前記被取付面に固定される取付金具と、
この取付金具に固定され垂下する２本の吊下用パイプと、
直方体形状をなし、長手方向の両側に前記吊下用パイプの先端部がそれぞれ機械的に固定されるとともに、長手方向の端部側に係止具が設けられ、前記照明器具が取り付けられるとき、前記係止具の先端部が前記照明器具の内部に突出するアダプタと、
前記照明器具の内部に収納され、前記係止具の先端が挿入された後、スライド動作させて前記係止具の先端に係合するとともに、スライド方向の先端部が前記照明器具の内壁に接触し、前記アダプタの短手方向の中心線と、前記照明器具の短手方向の中心線がほぼ同一直線上となるように、前記照明器具を前記アダプタに固定する取付固定具と、
を備えることを特徴とする吊下装置。
【請求項２】
前記係止具は、スライド部と、このスライド部の先端がやや大きい係止部と、を有することを特徴とする請求項１に記載の吊下装置。
【請求項３】
前記係止具は、回転動作によって、前記取付固定具が前記アダプタから着脱可能な第一の状態と、前記取付固定具が前記アダプタに固着する第二の状態と、になることを特徴とする請求項１または請求項２に記載の吊下装置。
【請求項４】
前記取付固定具は、前記係止具が挿入されるとともに、前記係止具に係合する係止具取付穴と、この係止具取付穴の周囲に設けられる凸状の凸部と、を備えることを特徴とする請求項１〜請求項３のいずれかに記載の吊下装置。
【請求項５】
前記係止具取付穴は、前記係止具が挿入される挿入穴と、この挿入穴よりも小径かつ前記係止具に係止する大きさの係合部と、前記挿入穴と前記係合穴とを接続する接続部と、
を備えることを特徴とする請求項４に記載の吊下装置。
【請求項６】
前記凸部は、前記接続部の近傍に設けられることを特徴とする請求項５に記載の吊下装置。
【請求項７】
前記係止具取付穴は、前記取付固定具のスライド方向の先端から切り込まれ、Ｕ字形状に形成されることを特徴とする請求項４に記載の吊下装置。
【請求項８】
前記係止具と前記取付固定具は、前記アダプタの長手方向の両端側に備えられることを特徴とする請求項１〜請求項７のいずれかに記載の吊下装置。
【請求項９】
請求項１〜請求項８のいずれかに記載の吊下装置と、この吊下装置に取り付けられる照明器具と、を備えることを特徴とする吊下形照明システム。
【発明の詳細な説明】
【技術分野】
【０００１】
本発明は、照明器具を天井などから吊り下げる吊下装置に関するものである。
【背景技術】
【０００２】
照明器具を天井などから吊り下げる手段として、以下の方法が知られている。
【０００３】
天井より突出して設けられている一対の吊下げボルトのねじ部の先端部に固定ナットを取付け、器具本体を片手で持って上方に持ち上げ、器具本体に形成した一対の取付孔に吊下げボルトの先端に取付けられた固定ナットを貫通させたのち、他方の手で、仮止め係止具を回転させて仮止め係止具に設けた円弧状の切欠孔を、主体の裏面と固定ナットの上面との間にある吊下げボルトのねじ部に挿通させたのち、器具本体から手を離すと、器具本体は固定ナットの上に載置され、固定ナット上に器具本体が仮止めされ、その後、固定ナットを締付けて器具本体を天井に固定していた（例えば、特許文献１参照。）。
【０００４】
また、器具本体に吊下用パイプ用の取付孔がない場合には、別途専用金具を使用し、吊下パイプを専用金具に取り付けた状態で、照明器具を支えながらボルト及びナット等で、前記専用金具に器具本体を取り付けていた（例えば、特許文献２参照。）。
【先行技術文献】
【特許文献】
【０００５】
【特許文献１】特開平８−１８０７２８号公報（段落「００１９」〜段落「００２０」、図１参照。）
【特許文献２】実開平７−１８３１４号公報（段落「０００８」、図３参照。）
【発明の概要】
【発明が解決しようとする課題】
【０００６】
吊下装置に器具本体を固定させる際に、片手で器具のほぼ中心を支え、もう片方の手で座金とナットを持った状態で、天井面等から垂下する２本の吊下用パイプの下端部に座金を通した後座金を指で支えながらナットを取り付けなければならないため、長時間不安定な状態で作業せざるを得なかった。
【０００７】
また、吊下装置に器具本体を連結させる際に、補助作業者によって器具本体を支えた状態で、天井面等から垂下する吊下用パイプの下端部に座金を通した後、ナットを取り付けなければならないため、作業効率が悪いという課題があった。
【０００８】
また、取付場所である天井は高所であるため、作業者は足場に登り無理な体勢で作業をするために、かなりの疲労が蓄積するという課題があった。
【課題を解決するための手段】
【０００９】
本発明に係わる吊下装置は、天井などから照明器具を吊り下げる吊下装置において、天井などに固定される取付金具と、この取付金具に固定され垂下する２本の吊下用パイプと、直方体形状をなし、長手方向の両側に前記吊下用パイプの先端部がそれぞれ機械的に固定されるとともに、長手方向の端部側に係止具が設けられ、前記照明器具が取り付けられるとき、この係止具の先端部が前記照明器具の内部に突出するアダプタと、前記照明器具の内部に収納され、前記係止具の先端が挿入された後、スライド動作させて前記係止具の先端に係合するとともに、スライド方向の先端部が前記照明器具の内壁に接触し、前記アダプタの短手方向の中心線と、前記照明器具の短手方向の中心線がほぼ同一直線上となるように、前記照明器具を前記アダプタに固定する取付固定具を備える。
【発明の効果】
【００１０】
本発明によれば、照明器具を吊下装置に取り付ける作業を行う際、取付固定具によって、照明器具を吊下装置に仮止めできるとともに、取付固定具をスライドさせて照明器具を吊下装置に固定するとき、照明器具の中心線と吊下装置の中心線とをほぼ直線上に位置決めすることができ、作業者の作業負荷が軽減できる。
【図面の簡単な説明】
【００１１】
【図１】実施の形態１に示す吊下形照明システムの斜視図である。
【図２】図１に示す吊下形照明システムの分解斜視図である。
【図３】図１に示す吊下形照明システムの長手方向側面から見たときの側面図である。
【図４】図１に示す吊下形照明システムを上面から見たときの上視図である。
【図５】図１に示す吊下形照明システムを下面から見たときの下視図である。
【図６】図１に示す吊下形照明システムの短手方向側面から見たときの側面図である。
【図７】図６に示す吊下形照明システムのＡ−Ａ’断面図である。
【図８】図７に示す吊下形照明システムのＡ部拡大図である。
【図９】図６に示す吊下形照明システムのＢ−Ｂ’断面図である。
【図１０】実施の形態１における取付固定具を示す正面図および側面図である。
【図１１】実施の形態１における取付固定具と器具本体の状態を示す正面図である。
【図１２】実施の形態１における他の取付固定具を示す正面図および側面図である。
【図１３】実施の形態２における取付固定具を示す正面図および側面図である。
【図１４】実施の形態２における取付固定具を器具本体に固定した状態を示す側断面図である。
【図１５】実施の形態３における器具本体に取付固定具を取り付ける組立工程を示す拡大正面図および側断面図である。
【図１６】実施の形態３における他の取付固定具を示す正面図および側面図である。
【図１７】実施の形態４における器具本体に取付固定具を取り付ける組立工程を示す拡大正面図および側断面図である。
【発明を実施するための形態】
【００１２】
実施の形態１．
図１は、本実施の形態を示す吊下形照明システムの斜視図であり、図２は、図１に示す吊下形照明システムの分解斜視図であり、図３は、図１に示す吊下形照明システムの側面図であり、図４は、図１に示す吊下形照明システムを上面から見たときの上視図であり、図５は、図１に示す吊下形照明システムを下面から見たときの下視図であり、図６は、図１に示す吊下形照明システムの端面図である。
【００１３】
また、図７は、図６に示す吊下形照明システムのＡ−Ａ断面図であり、図８は、図７に示す吊下形照明システムのＡ部拡大図であり、図９は、図６に示す吊下形照明システムのＢ−Ｂ断面図である。
【００１４】
吊下形照明システム１０００は、ランプＬＡが取り付けられる照明器具１００と、この照明器具１００を天井などから吊り下げる吊下装置２００を備える。
【００１５】
照明器具１００は、天井や吊下装置２００などの被取付機器に取り付けられる一面を有するとともに、この一面に対向する面が開口する直方体形状の器具本体１１０と、この器具本体１１０の長手方向両端側に取り付けられ、ランプＬＡが装着されるランプソケット１２０と、器具本体１１０内に取り付けられる電源端子台１３０と、器具本体１１０内に取り付けられ、ランプソケット１２０及び電源端子台１３０に電気的に接続される点灯装置１４０と、器具本体１１０の開口面に取り付けられる反射板取付台座１５０と、この反射板取付台座１５０に着脱可能に取り付けられる反射板１６０と、この反射板１６０を反射板取付台座１５０に固定する反射板固定具１７０を備える。
【００１６】
器具本体１１０は、天井や吊下装置２００などに固定される器具取付穴１１１ａ、１１１ｂと、側面に反射板取付台座１５０が取り付けられる台座取付穴１１２を備える。
【００１７】
器具取付穴１１１ａは、器具本体１１０の長手方向に対して長くなる長穴となっており、器具取付穴１１１ｂは、器具本体１１０の短手方向に対して長くなる長穴となっている。これは、器具本体１１０を天井面や吊下装置２００などに取り付ける際、器具本体１１０の取付位置や角度を調整し易くしたり、この器具取付穴１１１ａ、１１１ｂに挿入される天井面などに取り付けられるアンカーボルトの位置に合わせ易くしたりするためである。
【００１８】
反射板取付台座１５０は、「コ」の字状に折り曲げられて形成され、さらに先端部が内側に折り曲げられて形成され、この先端部が内側に折り曲げられた部分が台座取付穴１１２に挿入されて、器具本体１１０に係合するとともに、器具本体１１０の開口面側の面が反射板１６０に接触する。また、反射板取付台座１５０は、反射板固定具１７０が挿入される固定具挿入穴１５１を有する。
【００１９】
反射板１６０は、側面形状が台形形状に折り曲げられて形成され、一面が反射板取付台座１５０に接触する。また、反射板１６０は、反射板取付台座１５０に接触する一面に、反射板固定具１７０が挿入される反射板固定具挿入穴１６１を有する。
【００２０】
反射板固定具１７０は、側面形状が鍵形状をなし、先端部が固定具挿入穴１５１及び反射板固定具挿入穴１６１に挿入される。また、反射板固定具１７０は、先端部を固定具挿入穴１５１及び反射板固定具挿入穴１６１に挿入した状態で９０°回転させたとき、反射板１６０を反射板取付台座１５０に固着する。
【００２１】
吊下装置２００は、天井面に固定される取付金具２１０と、この取付金具２１０に固定され、垂下する２本の吊下用パイプ２２０と、この吊下用パイプ２２０の先端部に機械的に固定されるアダプタ２３０と、このアダプタ２３０を吊下用パイプ２２０に取り付けるアダプタ固定具２４０と、器具本体１１０の内側に取り付けられる取付固定具２５０と、この取付固定具２５０をアダプタ２３０に着脱可能に取り付ける係止具２６０を備える。
【００２２】
取付金具２１０は、天井などの被取付面に取り付けられるとともに、吊下用パイプ２２０が取り付けられる取付金具台座２１１と、この取付金具台座２１１を覆うように取付けられ、吊下用パイプ２２０が貫通する取付金具カバー２１２を備える。
【００２３】
取付金具台座２１１は、天井面に取付けられる天井取付穴２１１ａと、電源線が挿入される電源線通線穴２１１ｂと、吊下用パイプ２２０が取り付けられる吊下用パイプ取付穴２１１ｃを備える。
【００２４】
取付金具カバー２１２は、吊下用パイプ２２０が貫通する吊下用パイプ貫通穴２１２ａと、この吊下用パイプ貫通穴２１２ａに貫通する吊下用パイプ２２０に嵌合して、取付金具カバー２１２を取付金具台座２１１に固定するカバー固定具２１２ｂを備える。
【００２５】
吊下用パイプ２２０は、電源線などが挿入可能な中空形状となっており、一端側に取付金具台座２１１に取り付けられる取付溝２２１を備え、他端側にネジ切りされたネジ部２２２を備える。
【００２６】
アダプタ２３０は、短手方向の側面形状が「コ」の字状のアダプタ本体２３１と、このアダプタ本体２３１の長手方向の両端近傍に設けられる側面形状が「コ」の字状の２つのアダプタ台座部２３２と、アダプタ台座部２３２をアダプタ本体２３１に固定する台座固定具２３３を備える。
【００２７】
アダプタ本体２３１は、吊下用パイプ２２０が挿入され、吊下用パイプ２２０に固着するパイプ取付穴２３１ａを備える。
【００２８】
アダプタ台座部２３２は、「コ」の字状に折り曲げられて形成され、この両端側がアダプタ本体２３１の内壁に接触し、台座固定具２３３（例えばネジ）でアダプタ本体２３１に固定される。また、アダプタ台座部２３２は、一面に係止具２６０が取り付けられる係止具取付穴２３４を有する。
【００２９】
アダプタ固定具２４０は、ナット２４１、２４２とワッシャー２４３からなる。ナット２４１が吊下用パイプ２２０のネジ部２２２にねじ込まれ、アダプタ本体２３１のパイプ取付穴２３１ａがネジ部２２２に挿入された後、ワッシャー２４３とナット２４２がネジ部２２２に挿入・ねじ込まれて、アダプタ固定具２４０は、アダプタ本体２３１を吊下用パイプ２２０に固定する。
【００３０】
係止具２６０は、取付固定具２５０がスライド稼動可能なスライド部２６１と、取付固定具２５０を係止する係止部２６２とを備える。例えば、係止具２６０はネジなどであり、この場合、ネジ山部がスライド部２６１であり、ネジ頭が係止部２６２である。
【００３１】
図１０は、本実施の形態を示す取付固定具の正面図及び側面図であり、図１０（ａ）は取付金具の正面図、図１０（ｂ）、図１０（ｃ）は取付金具の側面図である。
【００３２】
取付固定具２５０は、取付固定具本体２５１と、この取付金具本体２５１上に設けられるダルマ穴形状からなる係止具取付穴２５２と、このダルマ穴形状の近傍に２つの凸部２５３とを有する。
【００３３】
係止具取付穴２５２は、係止部２６２が挿入される挿入穴２５４と、スライド部２６１がスライドするとともに係止部２６２に係止する係合穴２５５と、この挿入穴２５４と係合穴２５５とを接続する接続部２５６とを有する。
【００３４】
凸部２５３は、ダルマ穴形状からなる係止具取付穴２５２の接続部２５６近傍に配置される。
【００３５】
次に、照明器具を吊下装置に取り付ける工程について説明する。
【００３６】
図１１は、図９に示す吊下形照明システムのＢ部を拡大した組み立て工程を示すＢ部拡大組立図である。
【００３７】
まず、天井などの被取付部に取付金具２１０の取付金具台座２１１を取り付け、この取付金具台座２１１の長手方向の両端寄りに吊下用パイプ２２０がほぼ垂直方向に吊り下がるように吊下用パイプ２２０を取り付ける。取付金具カバー２１２の吊下用パイプ貫通穴２１２ａに吊下用パイプ２２０を挿入し、カバー固定具２１２ｂによって吊下用パイプ２２０に固定する。このとき、取付カバー２１２は、取付金具台座２１１を覆うように取り付けられた状態となる。
【００３８】
次に、吊下用パイプ２２０の先端部（ネジ部２２２）をアダプタ本体２３１のパイプ取付穴２３１ａに挿入してアダプタ固定具２４０（ナット２４１、２４２、ワッシャー２４３）で固定する。
【００３９】
アダプタ本体２３１の長手方向の両端近傍に配置されるアダプタ台座部２３２（係止具取付穴２３４）に、ネジなどの係止具２６０が取り付けられる。この係止具２６０は、アダプタ台座部２３２（係止具取付穴２３４）に軽くねじ込こむ（係止具２６０の仮止め）。
【００４０】
次に、仮止めされた係止具２６０は、器具本体１１０の器具取付穴１１１ａ、１１１ｂから係止具２６０の係止部２６２が突出するように、器具本体１１０をアダプタ２３０に押し当てる。
【００４１】
取付固定具２５０の挿入穴２５４に器具取付穴１１１ａ、１１１ｂから突出した係止部２６２（ネジ頭部）を挿入し、その後、取付固定具２５０を器具本体１１０の短手方向にスライド（係止具２６０のスライド部２６１が挿入穴２５４から係合穴２５５に移動）させて、係止部２６２を係合穴２５５に接触させる（器具本体１１０の仮止め）。
【００４２】
ここで、器具取付穴１１１ａ、１１１ｂの中心と、器具本体１１０の短手方向の内壁との距離を距離Ｃ、取付金具２５０の挿入穴の中心と、取付固定具２５０のスライド方向の先端との距離を距離Ｄとするとき、この距離Ｃと、距離Ｄはほぼ同じ長さとなっている。
【００４３】
そのため、取付固定具２５０のスライド方向の先端部は、器具本体１１０の短手方向の端部（内壁）に接触するとき、アダプタ本体２３１の短手方向の中央線と、器具本体１１０の短手方向の中心線がほぼ同一直線上となる。
【００４４】
次に、仮止めした係止具２６０をアダプタ台座部２３２（係止具取付穴２３４）にねじ込み、器具本体１１０をアダプタ本体２３１に固着する。
【００４５】
このように、仮止めした係止具２６０に取付固定具２５０を取り付けて、器具本体１１０を仮止めしてから、係止具２６０をアダプタ台座部２３２（係止具取付穴２３４）にねじ込むので、作業者は特別な工具を用いることなく、容易に器具本体１１０をアダプタ本体２３１に取り付けることができる。
【００４６】
また、取付固定具２５０のスライド方向の先端部が器具本体１１０の短手方向の端部（器具本体１１０の内壁）に接触して、アダプタ本体２３１（アダプタ２３０）の短手方向の中心線と、器具本体１１０の短手方向の中心線をほぼ同一直線上とさせることができるので、作業者は、アダプタ本体２３１（アダプタ２３０）及び器具本体１１０（照明器具１００）のセンタ出しを行う作業が容易になる。
【００４７】
最後に、アダプタ２３０に固着された器具本体１１０に反射板１６０を取付け、ランプＬＡをランプソケット２２０に取り付ける。
【００４８】
反射板１６０の取り付けは、反射板固定具１７０を反射板固定具挿入穴１６１に挿入して、反射板固定具１７０の先端部を固定具挿入穴１５１に挿入した後、反射板固定具１７０を約９０度回転させて、反射板固定具１７０の先端部を固定具挿入穴１５１に係合させて、反射板１６０を器具本体１１０に取り付ける。
【００４９】
ここで、一般的な天井直付用の照明器具１００の取り付け構造に関する規格と、一般的な吊下形照明システム１０００の取り付け構造に関する規格について説明する。
【００５０】
(社)日本照明器具工業会「公共建設物で使用する照明器具の基準」（２００１年）では、吊下装置２００の吊下用パイプ２２０間の距離は、適用ランプＬＡが４０Ｗのとき、２４０ｍｍまたは４００ｍｍと定められている。
【００５１】
また、(社)日本照明器具工業会「公共建設物で使用する照明器具の基準」（２００６年）では、照明器具１００（器具本体１１０）に備えられる天井直付用の取り付けピッチは、適用ランプＬＡが４０Ｗ（またはＨｆ３２Ｗ）のとき、８００ｍｍと定められている。
【００５２】
したがって、天井直付用の照明器具１００を吊下装置２００に直接取り付けるには、器具本体１１０側に、天井直付用の器具取付穴１１１ａ、１１１ｂとは別に、吊下装置２００用の取付穴が必要となる。
【００５３】
また、(社)日本照明器具工業会「公共建設物で使用する照明器具の基準」（２００６年）では、照明器具１００（器具本体１１０）に備えられる天井直付用の電源線通線穴２１１ｂは、器具本体１１０の中央と、一方の器具取付穴１１１ａ（または器具取付穴１１１ｂ）から半径７０ｍｍの二ケ所に備えることが定められている。
【００５４】
そのため、天井直付用に用いる照明器具１００を直接吊下装置２００に取り付けられるような器具本体１１０とすると、電源線通線穴２１１ｂ、２種類の取付穴（器具取付穴１１１ａ、１１１ｂと吊下装置２００用の取付穴）の位置を考慮する必要があり、器具本体１１０に取り付けられる点灯装置１４０などの電気部品の配置が制限されたり、天井直付用に用いる場合と吊下装置２００を用いる場合とで、点灯装置１４０などの電気部品の配置を変更したりしなければならない。
【００５５】
このような場合であっても、本実施の形態の吊下装置２００を用いることで、天井直付用の照明器具１００を天井などから吊り下げることができ、吊下形照明システム専用の吊下形照明器具を用いなくてもよい。
【００５６】
また、図１２に本実施の形態の取付固定具２５０の他の形態を示す。
図１２は、本実施の形態の他の取付固定具を示す正面図および側面図であり、図１２（ａ）は、本実施の形態の他の取付固定具を示す正面図、図１２（ｂ）、図１２（ｃ）は、図１２に示す取付固定具の側面を示す側面図である。
【００５７】
この取付固定具２５０ａは、取付固定具２５０の係止具取付穴２５２のように、挿入穴２５４を設けず、取付固定具２５０ａのスライド方向の先端部分から取付固定具本体２５１ａ上に切り込みを入れて、Ｕ字形状に形成する係止具取付穴２５２ａを備えている。
【００５８】
このように、取付固定具２５０ａのスライド方向の先端部分から切り込みを入れて、Ｕ字形状にしているので、挿入穴２５４を備えなくても、係止具２６０のスライド部２６１をスライドさせることができ、また、係止部２６２によって、取付固定具２５０ａを係止するとともに、器具本体１１０をアダプタ本体２３１に固定することができる。
【００５９】
本実施の形態では、吊下装置２００に吊り下げられる機器の一例として照明器具１００を用いる場合について説明したが、照明器具１００以外の被吊下機器を吊り下げてもよい。
【００６０】
実施の形態２．
本実施の形態は、実施の形態１の取付固定具を変形したものである。
本実施の形態において、実施の形態１と同様の構成は同符号を付し、説明を省略する。
【００６１】
図１３は、本実施の形態の取付固定具の形状を示している。その他の構成（照明器具１００、取付金具２１０、吊下用パイプ２２０、アダプタ２３０、アダプタ固定具２４０および係止具２６０）は実施の形態１と共通である。
【００６２】
取付固定具２５０ｂは、取付固定具本体２５１ｂと、この取付固定具本体２５１ｂ上に形成される係止具取付穴２５２（挿入穴２５４、係合穴２５５、接続部２５６）と、この係止具取付穴２５２の近傍の設けられる２つの凸部２５３と、取付固定具本体２５１ｂの側方から折り曲げて形成される爪状の４つの爪部２５７を備える。
【００６３】
図１４は、本実施の形態の取付固定具を器具本体１１０に取り付けた状態を示す側断面図である。
【００６４】
取付固定具２５０ｂは、係止具２６０（スライド部２６１、係止部２６２）によって、器具本体１１０に押し当てられ、器具本体１１０をアダプタ２３０（アダプタ台座部２３２）に固定する。
【００６５】
このとき、取付固定具２５０ｂの爪部２５７は、器具本体１１０の内部に押し当てられ、取付固定具本体２５１ｂが変形する。
【００６６】
取付固定具本体２５１ｂが変形するとき、この取付固定本体２５１ｂの弾性力によって、係止具２６０に力が加わる。つまり、取付固定本体２５１ｂの弾性力は、スプリングワッシャーと同じ効力を発揮し、この弾性力によって、係止具２６０がアダプタ台座部２３２から外れにくくなる。
【００６７】
実施の形態３．
本実施の形態は、実施の形態２の器具本体を変形したものである。
本実施の形態において、実施の形態２と同様の構成は同符号を付し、説明を省略する。
【００６８】
図１５は、本実施の形態における吊下形照明システムのアダプタ本体と器具本体の取り付け部分を拡大した組み立て工程を示す拡大組立図であり、図１５（ａ）は、取付固定具を器具本体に取り付ける前の状態を示す拡大図であり、図１５（ｂ）は、取付固定具を器具本体に取り付ける過程を示す拡大図であり、図１５（ｃ）は、取付固定具を器具本体に取り付けた状態を示す拡大図である。
【００６９】
器具本体１１０ａは、取付固定具２５０ｂのスライド方向に長い溝状のスライド溝１１３ａを器具取付穴１１１ａの近傍に備える。
【００７０】
このスライド溝１１３ａは、取付固定具２５０ｂの爪部２５７が挿入され、爪部２５７がスライド可能となっている。
【００７１】
まず、挿入穴２５４が係止部２６２を貫通するように、取付固定具２５０ｂを器具本体１１０に押し当てる。このとき、爪部２５７はスライド溝１１３ａに挿入された状態となる。
【００７２】
次に、取付固定具２５０ｂをスライドさせ、係止具２６０のスライド部２６１を係止具取付穴２５２がスライドして、挿入穴２５４から係合穴２５５に移動させる。取付固定具２５０ａをスライドさせるとき、爪部２５７はスライド溝１１３ａに接触するので、取付固定具２５０ａのスライド方向をガイドする。
【００７３】
係止具２６０が係合穴２５５に移動後、係止具２６０をネジ締めして、取付固定具２５０ａを器具本体１１０ａに固定する。
【００７４】
このように、爪部２５７がスライド溝１１３ａに接触して、取付固定具２５０ｂのスライド方向をガイドするので、取付固定具２５０ｂの取付性が向上する。
【００７５】
また、爪部２５７がスライド溝１１３ａに接触して、取付固定具２５０ｂのスライド方向をガイドするので、取付固定具２５０ｂのスライド方向の先端部と、器具本体１１０ａの内壁の接触する角度を規制でき、アダプタ本体２３１短手方向の中心線と、器具本体１１０ａの短手方向の中心線とをほぼ一致させる（ほぼ平行線上にする）ことが容易となる。
【００７６】
したがって、器具本体１１０ａの中心線と吊下装置２００の中心線がほぼ一致するため、施工後の器具本体１１０ａと吊下装置２００のセンタ出しの調整が不要になる。
【００７７】
また、図１６に本実施の形態の取付固定具２５０ｂの他の形態を示す。
図１６は、本実施の形態の他の取付固定具を示す正面図および側面図であり、図１６（ａ）は、本実施の形態の他の取付固定具を示す正面図、図１６（ｂ）、図１６（ｃ）は、図１６に示す取付固定具の側面を示す側面図である。
【００７８】
この取付固定具２５０ｃは、取付固定具２５０ｂの係止具取付穴２５２のように、挿入穴２５４を設けず、スライド方向の先端部分から取付固定具本体２５１ｃ上に切り込みを入れて係止具取付穴２５２ａを備えてもよい。
【００７９】
このように、取付固定具２５０ｃのスライド方向の先端部分から切り込みを入れて、係止具取付穴２５２ａをＵ字形状にしているので、挿入穴２５４を備えなくても、係止具２６０のスライド部２６１をスライドさせることができ、また、係止部２６２によって、取付固定具２５０ｃを係止するとともに、器具本体１１０ａをアダプタ本体２３１に固定することができる。
【００８０】
その他の構成、組立工程は実施の形態２と同じのため、説明を省略した。
【００８１】
実施の形態４．
本実施の形態は、実施の形態２の器具本体を変形したものである。
本実施の形態において、実施の形態２と同様の構成は同符号を付し、説明を省略する。
【００８２】
図１７は、本実施の形態における吊下形照明システムのアダプタ本体と器具本体の取り付け部分を拡大した組み立て工程を示す拡大組立図であり、図１７（ａ）は、取付固定具を器具本体に取り付ける前の状態を示す拡大図であり、図１７（ｂ）は、取付固定具を器具本体に取り付ける過程を示す拡大図であり、図１７（ｃ）は、取付固定具を器具本体に取り付けた状態を示す拡大図である。
【００８３】
器具本体１１０ｂは、取付金具２５０ａを器具本体１１０ｂの内壁に接触させた状態のときの爪部２５７の位置に、係止溝１１３ｂを備える。
【００８４】
係止溝１１３ｂは、爪部２５７の大きさよりもやや大きい大きさの穴または凹部となっている。
【００８５】
まず、挿入穴２５４が係止部２６２を貫通するように、取付固定具２５０ｂを器具本体１１０に押し当てる。このとき、爪部２５７は係止溝１１３ｂには挿入されていない状態である。
【００８６】
次に、取付固定具２５０ｂをスライドさせ、係止具２６０のスライド部２６１を係止具取付穴２５２がスライドして、挿入穴２５４から係合穴２５５に移動させる。取付固定具２５０ａをスライドさせたとき、爪部２５７は係止溝１１３ｂに挿入できる状態となる。
【００８７】
係止具２６０が係合穴２５５の位置となるように取付固定具２５０ｂをスライドさせた後、係止具２６０をネジ締めして、取付固定具２５０ｂを器具本体１１０ｂに固定する。このとき、爪部２５７は係止溝１１３ｂに挿入された状態に固持され、取付固定具２５０ｂのスライドを規制する。
【００８８】
このように、爪部２５７が係止溝１１３ａに挿入され、取付固定具２５０ｂのスライドを規制するので、取付固定具２５０ｂを所定の位置に取り付ける取付性が向上する。
【００８９】
また、爪部２５７が係止溝１１３ａに挿入され、取付固定具２５０ｂのスライドを規制するので、係止具２６０によって取付固定具２５０ｂを固定した後、係止具２６０の締め付けが緩んだ場合であっても、取付固定具２５０ｂがスライドして、取付固定具２５０ｂが係止具２６０（アダプタ台座部２３２）から外れるのを防止することができる。
【００９０】
また、爪部２５７が係止溝１１３ｂに挿入され、取付固定具２５０ｂのスライドを規制するので、取付固定具２５０ｂのスライド方向の先端部と、器具本体１１０ｂの内壁の接触する角度を規制でき、アダプタ本体２３１の短手方向の中心線と、器具本体１１０ｂの短手方向の中心線とをほぼ一致させる（ほぼ平行線上にする）ことが容易となる。
【００９１】
なお、取付固定具２５０ｂは、実施の形態３の図１６に示すように、取付固定具２５０ｂの係止具取付穴２５２のように、挿入穴２５４を設けず、スライド方向の先端部分から取付固定具本体２５１ｃ上に切り込みを入れて係止具取付穴２５２ａを備える取付固定具２５０ｃとしてもよい。
【００９２】
その他の構成、組立工程は実施の形態２と同じのため、説明を省略した。
【符号の説明】
【００９３】
１００  照明器具、１１０、１１０ａ、１１０ｂ  器具本体、１１１ａ、１１１ｂ  器具取付穴、１１２  台座取付穴、１１３ａ  スライド溝、１１３ｂ  係止溝、１２０  ランプソケット、１３０  電源端子台、１４０  点灯装置、１５０  反射板取付台座、１５１  固定具挿入穴、１６０  反射板、１６１  反射固定具挿入穴、１７０  反射板固定具、２００  吊下装置、２１０  取付金具、２１１  取付金具台座、２１１ａ  天井取付穴、２１１ｂ  電源線通線穴、２１１ｃ  吊下用パイプ取付穴、２５１  取付金具本体、２１２  取付金具カバー、２１２ａ  吊下用パイプ貫通穴、２１２ｂ  カバー固定具、２２０  吊下用パイプ、２２１  取付溝、２２２  ネジ部、２３０  アダプタ、２３１  アダプタ本体、２３１ａ  パイプ取付穴、２３２  アダプタ台座部、２３３  固定具、２４０  アダプタ固定具、２４１  ナット、２４２  ナット、２４３  ワッシャー、２５０、２５０ａ、２５０ｂ  取付固定具、２５１、２５１ａ、２５１ｂ  取付固定具本体、２５２、２５２ａ  係止具取付穴、２５３  凸部、２５４  挿入穴、２５５  係合穴、２５６  接続部、２５７  爪部、２６０  係止具、２６１  スライド部、２６２  係止部、１０００  吊下形照明システム、ＬＡ  ランプ。
【図１】
0005434469.tif 000002
【図２】
0005434469.tif 000003
【図３】
0005434469.tif 000004
【図４】
0005434469.tif 000005
【図５】
0005434469.tif 000006
【図６】
0005434469.tif 000007
【図７】
0005434469.tif 000008
【図８】
0005434469.tif 000009
【図９】
0005434469.tif 000010
【図１０】
0005434469.tif 000011
【図１１】
0005434469.tif 000012
【図１２】
0005434469.tif 000013
【図１３】
0005434469.tif 000014
【図１４】
0005434469.tif 000015
【図１５】
0005434469.tif 000016
【図１６】
0005434469.tif 000017
【図１７】
0005434469.tif 000018